(57)【要約】【課題】様々な種類の廃棄物を含む混合廃棄物の選別においても、軽量物を効率良く選別することができる廃棄物の選別装置を提供する。【解決手段】供給コンベア１１，２１と、回収コンベア１２，２２と、棒状部材４を備えた回転体２と、供給コンベア１１，２１上に向けて、供給コンベア１１，２１から回収コンベア１２，２２へ向かう方向に沿って空気を送風する送風部１３，２３と、を備える。この空気によって、供給コンベア１１，２１上の軽量物ｄ２には、供給コンベア１１，２１から回収コンベア１２，２２へ向かう方向の力が加えられる。よって、軽量物ｄ２は、棒状部材４によって掃かれる際に、回収コンベア１２，２２へ向かって動き易くなるため、容易に回収コンベア１２，２２へ掃き出される。この結果、十分に軽量物ｄ２の選別を図ることができ、効率良く軽量物ｄ２を選別することが可能となる。【選択図】図１
2015196149.tif 000002
【特許請求の範囲】
【請求項１】
礫分を含む混合廃棄物から軽量物を選別する廃棄物の選別装置であって、
前記混合廃棄物を供給する供給コンベアと、
前記供給コンベアに隣接して設けられ、選別された前記軽量物を回収する回収コンベアと、
前記供給コンベアの上方に設けられ、前記供給コンベアの延在方向に沿う軸線を有する回転体と、
前記回転体の表面に基端部が固定され、前記回転体の回転に伴い先端部が前記延在方向に交差する方向に移動することにより、前記供給コンベアから前記回収コンベアへ前記軽量物を掃き出して分離させる棒状部材と、
前記供給コンベア上に向けて、前記供給コンベアから前記回収コンベアへ向かう方向に沿って空気を送風する送風部と、を備えることを特徴とする廃棄物の選別装置。
【請求項２】
前記供給コンベアの上流側には、前記供給コンベア上における前記混合廃棄物の位置を前記回収コンベア側へ寄せる片寄せ手段が設けられていることを特徴とする請求項１に記載の廃棄物の選別装置。
【請求項３】
前記供給コンベアの上流側には、前記混合廃棄物を前記供給コンベアに供給する他の供給コンベアが設けられており、
前記他の供給コンベアの延在方向は、前記供給コンベアの延在方向に対して所定の角度で交差しており、
前記他の供給コンベアと前記供給コンベアとが連なる接続部において、前記他の供給コンベアの下流側端部は、前記供給コンベアの上方に配置され、
前記片寄せ手段は、前記供給コンベアの上方において、前記他の供給コンベアの下流側端部と対峙すると共に、前記供給コンベアの延在方向に沿うように配置された板状部材であることを特徴とする請求項２に記載の廃棄物の選別装置。
【請求項４】
前記送風部による送風の風圧は、前記混合廃棄物における前記軽量物の組成又は種類に応じて調整可能であることを特徴とする請求項１〜３の何れか一項に記載の廃棄物の選別装置。
【発明の詳細な説明】
【技術分野】
【０００１】
本発明は、礫分を含む混合廃棄物から軽量物を選別する廃棄物の選別装置に関する。
【背景技術】
【０００２】
従来、特許文献１に記載されるように、大きさや材質が異なる種々の廃棄物を自動選別する廃棄物の選別装置が知られている。この廃棄物の選別装置では、廃棄物を移送するベルトコンベアの上に、所定間隔離間して廃棄物選別用ロールが取付けられており、この廃棄物選別用ロールの回転軸は、ベルトの進行方向と平行に配置されている。この廃棄物選別用ロールには、複数の弾性部材の基端部が取付けられ、この弾性部材の先端部には、廃棄物選別用杆が備えられている。この廃棄物選別用杆により、選別対象の廃棄物は、ベルトコンベアの廃棄物排出側端部から掃き出される。
【先行技術文献】
【特許文献】
【０００３】
【特許文献１】特開２００８−６８１９７号公報
【発明の開示】
【発明が解決しようとする課題】
【０００４】
ところで、近年、地震や津波等による災害が発生している。特に、大規模な災害の場合には、広範囲に甚大な被害が及ぶため、様々な種類の廃棄物を含む災害廃棄物が大量に生じることとなる。このような災害廃棄物の選別においては、資材として再利用される金属、礫、土砂等の礫分と、それ以外のゴミ（可燃物）とを効率良く選別することが求められる。
【０００５】
しかしながら、災害廃棄物は、様々な種類の廃棄物を含んでいる。このため、災害廃棄物の選別において従来の技術を適用しても、一部の軽量物（例えば、木チップ等）の選別が十分ではなく、効率良く軽量物を選別することが難しかった。
【０００６】
本発明は、様々な種類の廃棄物を含む混合廃棄物の選別においても、軽量物を効率良く選別することができる廃棄物の選別装置を提供することを目的とする。
【課題を解決するための手段】
【０００７】
本発明は、礫分を含む混合廃棄物から軽量物を選別する廃棄物の選別装置であって、混合廃棄物を供給する供給コンベアと、供給コンベアに隣接して設けられ、選別された軽量物を回収する回収コンベアと、供給コンベアの上方に設けられ、供給コンベアの延在方向に沿う軸線を有する回転体と、回転体の表面に基端部が固定され、回転体の回転に伴い先端部が延在方向に交差する方向に移動することにより、供給コンベアから回収コンベアへ軽量物を掃き出して分離させる棒状部材と、供給コンベア上に向けて、供給コンベアから回収コンベアへ向かう方向に沿って空気を送風する送風部と、を備えることを特徴とする。
【０００８】
この廃棄物の選別装置によれば、供給コンベア上に向けて、供給コンベアから回収コンベアへ向かう方向に沿って空気が送風される。この空気によって、供給コンベア上の軽量物には、供給コンベアから回収コンベアへ向かう方向の力が加えられる。よって、軽量物は、棒状部材によって掃かれる際に、回収コンベアへ向かって動き易くなるため、容易に回収コンベアへ掃き出される。この結果、様々な種類の廃棄物を含む混合廃棄物の選別においても、十分に軽量物の選別を図ることができ、効率良く軽量物を選別することができる。
【０００９】
また、上記の廃棄物の選別装置において、供給コンベアの上流側には、供給コンベア上における混合廃棄物の位置を回収コンベア側へ寄せる片寄せ手段が設けられている。この片寄せ手段により、混合廃棄物の位置は、供給コンベア上における回収コンベア側へ予め寄せられる。そして、混合廃棄物に含まれる軽量物も回収コンベア側へ予め寄せられるため、供給コンベア上の軽量物から回収コンベアまでの距離が短くなる。よって、軽量物は、一層容易に回収コンベアへ掃き出される。この結果、軽量物の選別効率を更に向上させることができる。
【００１０】
また、上記の廃棄物の選別装置において、供給コンベアの上流側には、混合廃棄物を供給コンベアに供給する他の供給コンベアが設けられており、他の供給コンベアの延在方向は、供給コンベアの延在方向に対して所定の角度で交差しており、他の供給コンベアと供給コンベアとが連なる接続部において、他の供給コンベアの下流側端部は、供給コンベアの上方に配置され、片寄せ手段は、供給コンベアの上方において、他の供給コンベアの下流側端部と対峙すると共に、供給コンベアの延在方向に沿うように配置された板状部材である。
【００１１】
このように構成された廃棄物の選別装置では、混合廃棄物は、接続部において他のコンベアの下流側端部から供給コンベアへ落下することにより受け渡される。このとき、混合廃棄物は、他の供給コンベアの延在方向に沿う初速度をもって落下する。ここで、上記のような板状部材が片寄せ手段として設けられることにより、混合廃棄物は、落下の際に板状部材により受け止められると共に、供給コンベアにおける回収コンベア側へ予め寄せられる。従って、混合廃棄物は好適に供給コンベア上に受け渡され、軽量物は容易に回収コンベアへ掃き出される。この結果、軽量物を効率良く選別することができる。
【００１２】
また、上記の廃棄物の選別装置において、送風部による送風の風圧は、混合廃棄物における軽量物の組成又は種類に応じて調整可能である。この場合、混合廃棄物に含まれる軽量物の組成又は種類に適した風圧で空気が送風されるため、供給コンベア上の軽量物には、その軽量物を動かし易くするために適した大きさの力が加えられる。従って、種々の組成又は種類の軽量物を確実に選別することができ、軽量物を一層効率良く選別することができる。
【発明の効果】
【００１３】
本発明によれば、様々な種類の廃棄物を含む混合廃棄物の選別においても、軽量物を効率良く選別することができる。
【図面の簡単な説明】
【００１４】
【図１】本発明の一実施形態に係る廃棄物の選別装置の概略構成を示す平面図である。
【図２】図１の廃棄物の選別装置の主要部を示す斜視図である。
【図３】図１の廃棄物の選別装置の主要部を側面視で示す図である。
【図４】図１の廃棄物の選別装置の接続部を方向Ｚからの側面視で示す図である。
【発明を実施するための形態】
【００１５】
以下、本発明の実施形態について、図面を参照しながら説明する。なお、図面の説明において同一要素には同一符号を付し、重複する説明は省略する。
【００１６】
まず、図１を参照して、廃棄物の選別装置１の概略構成について説明する。図１は、本実施形態に係る廃棄物の選別装置１の概略構成を示す平面図である。廃棄物の選別装置１は、重量物ｄ１（礫分）を含む混合廃棄物Ｄから軽量物ｄ２を分離して選別する装置である。廃棄物の選別装置１は、第１の選別装置１０と、第２の選別装置２０と、前処理装置３０とを備えている。以下の説明では、まず、廃棄物の選別装置１の上流部１０Ｐに着目し、当該上流部１０Ｐの構成について説明する。その後に、第１の選別装置１０と第２の選別装置２０とを組み合わせた構成について説明する。
【００１７】
図１に示すように、廃棄物の選別装置１の上流部１０Ｐには、第１の選別装置１０が設けられている。第１の選別装置１０は、重量物ｄ１（礫分）を含む混合廃棄物Ｄから軽量物ｄ２を分離して選別する装置である。第１の選別装置１０は、掃出装置Ａ１と、第１の供給コンベア１１と、第１の回収コンベア１２と、第１の送風部１３と、第１の板状部材（片寄せ手段）１５とを備えている。掃出装置Ａ１は、回転体２と、駆動装置３と、棒状部材４とを備えている。第１の選別装置１０には、前処理装置３０から混合廃棄物Ｄが供給される。
【００１８】
前処理装置３０は、第１の選別装置１０の上流側に設けられており、混合廃棄物Ｄが第１の選別装置１０に供給される前に、混合廃棄物Ｄを前処理する装置である。混合廃棄物Ｄは、廃棄物投入部ＩＮから前処理装置３０に投入される。前処理装置３０としては、例えばトロンメル等の篩の機能を有する装置等が採用される。前処理装置３０は、重量物ｄ１及び軽量物ｄ２よりも大きさが小さい土砂分を混合廃棄物Ｄから除去するものであってもよい。
【００１９】
回転体２は、第１の供給コンベア１１の上方に設けられ、例えば略円筒状を呈している。回転体２は、第１の供給コンベア１１の延在方向に沿う軸線を有している。後述するように、回転体２が軸線の周りを回転することで、軽量物ｄ２は、第１の供給コンベア１１から第１の回収コンベア１２へ掃き出されて分離される。ここで、軽量物ｄ２とは、一定の重量又は一定の比重を基準として、その基準値よりも軽い重量又は小さい比重を有する廃棄物である。混合廃棄物Ｄに含まれる廃棄物の種類又は選別目的に応じて、重量物ｄ１と軽量物ｄ２とを区分する上記の基準値は、適宜設定することができる。
【００２０】
駆動装置３は、回転体２を駆動して回転体２を回転させる。駆動装置３は、例えば電動機等で構成され、回転体２の端部に直接設けられている。駆動装置３は、第１の供給コンベア１１に対面する回転体２の下側の周面が、第１の供給コンベア１１から第１の回収コンベア１２へ向けて移動するように、回転体２を一定の回転方向に回転させる。
【００２１】
棒状部材４は、第１の供給コンベア１１から第１の回収コンベア１２へ軽量物ｄ２を掃き出すための部材である。棒状部材４は、回転体２の表面に複数設けられている。それぞれの棒状部材４は、先端部４ａと基端部４ｂとを有しており、基端部４ｂは、回転体２の表面に固定されている。基端部４ｂは、回転体２に対して剛結されていてもよいし、回転体２の表面に対して所定の角度範囲で揺動可能に取り付けられていてもよい。
【００２２】
先端部４ａは、第１の供給コンベア１１上の混合廃棄物Ｄに届くように配置されている。棒状部材４の長さは、第１の供給コンベア１１から回転体２までの距離に略等しくてもよく、当該距離よりも所定の長さ長くされていてもよい。この場合、第１の供給コンベア１１の上部を掃く際に棒状部材４が撓るように、棒状部材４は、例えば弾性を有する材料を含んで構成される。なお、上記所定の長さは、例えば、１ｃｍ以下であってもよく、１ｃｍ〜３ｃｍであってもよい。棒状部材４自体に弾性があれば、上記所定の長さは５ｃｍ程度でもよい。上記所定の長さは、棒状部材４の弾性に応じて適宜設定されてもよい。
【００２３】
先端部４ａは、回転体２の回転に伴い、第１の供給コンベア１１の延在方向に交差する方向に移動する。従って、回転体２の回転に伴い、回転体２に固定された棒状部材４の先端部４ａが軽量物ｄ２を掃くことにより、棒状部材４は、第１の供給コンベア１１から第１の回収コンベア１２へ軽量物ｄ２を掃き出して分離させる。
【００２４】
図１〜図３に示すように、第１の供給コンベア１１は、前処理装置３０で前処理された混合廃棄物Ｄを第１の選別装置１０に供給するコンベアである。第１の供給コンベア１１は、前処理装置３０に連なるように設けられている。第１の供給コンベア１１は無限軌道を形成しており、図示しない動力源により、上面側が搬送方向に向かって移動し、下面側が搬送方向とは逆方向に向かって移動するように構成されている。第１の供給コンベア１１の上面の下部には、第１の供給コンベア１１の延在方向に沿って複数のキャリアローラＲ１（図３参照）が設けられている。キャリアローラＲ１は、第１の供給コンベア１１の上面に下方から当接しており、第１の供給コンベア１１の搬送物の重量を支えている。また、少なくとも回転体２が上方に配置されている区間では、第１の供給コンベア１１の上面は、例えば幅方向の両端部が上方に曲げられている。
【００２５】
第１の回収コンベア１２は、第１の供給コンベア１１から掃き出されて選別された軽量物ｄ２を回収して搬送するコンベアである。第１の回収コンベア１２は、第１の供給コンベア１１に隣接して設けられている。第１の回収コンベア１２は無限軌道を形成しており、図示しない動力源により、上面側が搬送方向に向かって移動し、下面側が搬送方向とは逆方向に向かって移動するように構成されている。第１の回収コンベア１２の上面の下部には、第１の回収コンベア１２の延在方向に沿って複数のキャリアローラＲ２（図３参照）が設けられている。キャリアローラＲ２は、第１の回収コンベア１２の上面に下方から当接しており、第１の回収コンベア１２の搬送物の重量を支えている。また、第１の回収コンベア１２の上面は、幅方向において平坦に形成されており、両端部の上方には、補助板Ｇが設けられている。補助板Ｇは、第１の回収コンベア１２に沿って固定されており、上広がりに配置されている。補助板Ｇは、掃き出されて選別された軽量物ｄ２を第１の回収コンベア１２の上面に誘導する。
【００２６】
第１の供給コンベア１１と、第１の回収コンベア１２との間には、少なくとも回転体２が上方に配置されている区間において、第１の架渡部１４が設けられている。第１の架渡部１４は、第１の供給コンベア１１と第１の回収コンベア１２とに架け渡された板状部材である。第１の架渡部１４は、掃き出されて選別された軽量物ｄ２を、第１の回収コンベア１２の方向へ案内する。また、第１の架渡部１４は、重量物ｄ１が第１の回収コンベア１２側に乗り移るのを防止する。ここで、図３に示すように、軽量物ｄ２を第１の回収コンベア１２の方向へ案内する際、軽量物ｄ２が第１の架渡部１４の端部に引っかからないように、第１の架渡部１４の端部を覆うように第１の補助板１４ａを設けてもよい。
【００２７】
第１の送風部１３は、棒状部材４による軽量物ｄ２の分離選別の促進を図るものである（詳しくは後述）。図１に示すように、第１の送風部１３は、ブロアＢ１と、ノズルＢｎ１とを備えている。
【００２８】
ブロアＢ１は、第１の送風部１３において風を形成する装置である。ブロアＢ１による風量は、混合廃棄物Ｄにおける軽量物ｄ２の組成又は種類に応じて調整可能とされている。このため、ブロアＢ１としては、例えば、図示しない電動機によって駆動されるシロッコファンが採用される。
【００２９】
ノズルＢｎ１は、ブロアＢ１によって形成された風を噴射する噴射口である。ノズルＢｎ１は、第１の供給コンベア１１の上部に向けて開口しており、第１の供給コンベア１１から第１の回収コンベア１２へ向かう方向に沿って配置されている。第１の送風部１３は、第１の供給コンベア１１の上部に向けて、第１の供給コンベア１１から第１の回収コンベア１２へ向かう方向に沿って空気を送風する。ノズルＢｎ１の先端部の形状は、混合廃棄物Ｄにおける軽量物ｄ２の組成又は種類に応じて調整可能とされている。ノズルＢｎ１の先端部には、例えば、先細りの略円錐形状が採用される。
【００３０】
このように、ブロアＢ１による風量及びノズルＢｎ１の先端部の形状が調整可能とされていることにより、第１の送風部１３による送風の風圧は、混合廃棄物Ｄにおける軽量物ｄ２の組成又は種類に応じて調整可能となっている。
【００３１】
第１の板状部材１５は、第１の供給コンベア１１上における混合廃棄物Ｄの位置を第１の回収コンベア１２側へ寄せる片寄せ手段である。第１の板状部材１５は、第１の供給コンベア１１の上流側に設けられている。例えば、第１の板状部材１５は、前処理装置３０の終端部において、前処理装置３０の下端より下方に、かつ、第１の供給コンベア１１の上方に設けられている。この第１の板状部材１５は、第１の供給コンベア１１の幅方向において、第１の回収コンベア１２から遠い側に寄せて設けられている。また、この第１の板状部材１５は、第１の供給コンベア１１の幅方向において、第１の回収コンベア１２から遠い側から第１の回収コンベア１２に近い側に向かって下り斜面を形成するように、傾斜して配置されている。
【００３２】
次に、本実施形態の廃棄物の選別装置１において、廃棄物の選別装置１の上流部１０Ｐに着目した場合の作用効果について、図１〜図３を参照して説明する。
【００３３】
図２及び図３に示すように、第１の選別装置１０では、回転体２が回転方向Ｃの向きに回転する。この回転体２の回転に伴い、棒状部材４は、第１の供給コンベア１１上の軽量物ｄ２に接触する。このとき、軽量物ｄ２には、第１の供給コンベア１１から第１の回収コンベア１２へ向かう方向の力が加えられる。
【００３４】
ここで、第１の送風部１３によって、第１の供給コンベア１１上に向けて、第１の供給コンベア１１から第１の回収コンベア１２へ向かう方向に沿って空気が送風される。第１の送風部１３から送風された空気は、軽量物ｄ２に対して、例えば図１〜図３においてノズルＢｎ１の先端部の矢印で示すように、第１の供給コンベア１１から第１の回収コンベア１２へ向かう方向に当てられることになる。つまり、この送風によって、第１の供給コンベア１１上の軽量物ｄ２には、第１の供給コンベア１１から第１の回収コンベア１２へ向かう方向の力が加えられる。
【００３５】
従って、軽量物ｄ２には、棒状部材４と、第１の送風部１３からの送風との両方から、第１の供給コンベア１１から第１の回収コンベア１２へ向かう方向の力が加えられる。この結果、軽量物ｄ２が第１の供給コンベア１１から第１の回収コンベア１２へ掃き出され易くなり、選別が促進される。
【００３６】
ところで、更に回転体２が回転した場合、棒状部材４は、軽量物ｄ２を掃き出した後、軽量物ｄ２から離れるように移動する。棒状部材４が軽量物ｄ２から離れると、軽量物ｄ２には、棒状部材４からは力を加えられなくなる。
【００３７】
ここで、第１の送風部１３による送風により、第１の供給コンベア１１上の軽量物ｄ２には、第１の供給コンベア１１から第１の回収コンベア１２へ向かう方向の力が加えられる。従って、更に回転体２が回転して棒状部材４が軽量物ｄ２から離れた場合であっても、軽量物ｄ２には、第１の送風部１３からの送風により、第１の供給コンベア１１から第１の回収コンベア１２へ向かう方向の力が加えられる。この結果、軽量物ｄ２が第１の供給コンベア１１から第１の回収コンベア１２へ掃き出され易くなり、選別が促進される。
【００３８】
また、図１に示すように、第１の供給コンベア１１は、前処理装置３０に連なるように設けられている。また、前処理装置３０の終端部には、上述のように第１の板状部材１５が設けられている。このため、前処理装置３０で前処理された混合廃棄物Ｄは、第１の板状部材１５の下り斜面に沿うようにして第１の供給コンベア１１に案内される。従って、混合廃棄物Ｄの位置は、第１の供給コンベア１１上における第１の回収コンベア１２側へ寄せられる。このように、廃棄物の選別装置１の上流部１０Ｐに着目する場合、第１の板状部材１５は、混合廃棄物Ｄの位置を第１の回収コンベア１２側へ寄せる片寄せ手段として機能する。なお、ここでの片寄せとは、単に混合廃棄物Ｄの位置を第１の供給コンベア１１の片側に寄った状態にする形態に限られず、例えば混合廃棄物Ｄの位置を少しでも第１の回収コンベア１２側に近寄せる形態も含む。この点、前処理装置３０の終端部において、上記第１の板状部材１５に加えて別の板状部材が設けられていてもよい。例えば、前処理装置３０の終端部において、第１の板状部材１５に対して前処理装置３０の中心軸線について水平方向に対称となる位置に別の板状部材が設けられている場合には、当該別の板状部材によって、混合廃棄物Ｄの一部は、第１の回収コンベア１２から遠ざかる側に寄せられる。この場合であっても、第１の板状部材１５は、混合廃棄物Ｄの位置を第１の回収コンベア１２側に近寄せる片寄せ手段として機能する。
【００３９】
また、例えば、送風の風圧が弱すぎる場合、第１の供給コンベア１１上の軽量物ｄ２に加えられる送風による力が弱くなるため、混合廃棄物Ｄにおける軽量物ｄ２の組成又は種類によっては、上述したような選別促進の効果が小さくなる。一方、例えば、送風の風圧が強すぎる場合、第１の供給コンベア１１上の軽量物ｄ２に加えられる送風による力が強くなるため、混合廃棄物Ｄにおける軽量物ｄ２の組成又は種類によっては、第１の回収コンベア１２への軽量物ｄ２の回収が却って妨げられる可能性もある。
【００４０】
この点、廃棄物の選別装置１では、ブロアＢ１による風量及びノズルＢｎ１の先端部の形状が調整可能とされていることにより、第１の送風部１３による送風の風圧は、混合廃棄物Ｄにおける軽量物ｄ２の組成又は種類に応じて調整可能となっている。これにより、軽量物ｄ２は、より確実に第１の回収コンベア１２に回収され、選別が促進される。
【００４１】
以上に述べたように、この廃棄物の選別装置１によれば、第１の供給コンベア１１上に向けて、第１の供給コンベア１１から第１の回収コンベア１２へ向かう方向に沿って空気が送風される。この空気によって、第１の供給コンベア１１上の軽量物ｄ２には、第１の供給コンベア１１から第１の回収コンベア１２へ向かう方向の力が加えられる。よって、軽量物ｄ２は、棒状部材４によって掃かれる際に、第１の回収コンベア１２へ向かって動き易くなるため、容易に第１の回収コンベア１２へ掃き出される。この結果、様々な種類の廃棄物を含む混合廃棄物Ｄの選別においても、十分に軽量物ｄ２の選別を図ることができ、効率良く軽量物ｄ２を選別することができる。
【００４２】
また、上記の廃棄物の選別装置１において、第１の供給コンベア１１の上流側には、第１の供給コンベア１１上における混合廃棄物Ｄの位置を第１の回収コンベア１２側へ寄せる第１の板状部材１５が設けられている。この第１の板状部材１５が片寄せ手段として設けられることにより、混合廃棄物Ｄの位置は、第１の供給コンベア１１上における第１の回収コンベア１２側へ予め寄せられる。そして、混合廃棄物Ｄに含まれる軽量物ｄ２も第１の回収コンベア１２側へ予め寄せられるため、第１の供給コンベア１１上の軽量物ｄ２から第１の回収コンベア１２までの距離が短くなる。よって、軽量物ｄ２は、一層容易に第１の回収コンベア１２へ掃き出される。この結果、軽量物ｄ２の選別効率を更に向上させることができる。なお、ここでの片寄せとは、単に混合廃棄物Ｄの位置を第１の供給コンベア１１の片側に寄った状態にする形態に限られず、例えば混合廃棄物Ｄの位置を少しでも第１の回収コンベア１２側に近寄せる形態も含む。
【００４３】
また、上記の廃棄物の選別装置１において、第１の送風部１３による送風の風圧は、混合廃棄物Ｄにおける軽量物ｄ２の組成又は種類に応じて調整可能である。この場合、混合廃棄物Ｄに含まれる軽量物ｄ２の組成又は種類に適した風圧で空気が送風されるため、第１の供給コンベア１１上の軽量物ｄ２には、その軽量物ｄ２を動かし易くするために適した大きさの力が加えられる。第１の供給コンベア１１から第１の回収コンベア１２へ向かう方向の力が加えられる。従って、種々の組成又は種類の軽量物ｄ２を確実に選別することができ、一層効率良く軽量物ｄ２を選別することができる。
【００４４】
次に、第１の選別装置１０と第２の選別装置２０とを組み合わせた構成（以下、廃棄物の選別装置１の全体構成と称する）について説明する。なお、上述の廃棄物の選別装置１の上流部１０Ｐに着目する場合と重複する説明については、省略又は簡略化することがある。
【００４５】
図１に示すように、廃棄物の選別装置１の全体構成では、第１の選別装置１０と、第２の選別装置２０とが連なって設けられている。第２の選別装置２０は、第１の選別装置１０と概略同様の構成を備えている装置である。第２の選別装置２０は、掃出装置Ａ２と、第２の供給コンベア２１と、第２の回収コンベア２２と、第２の送風部２３と、第２の板状部材２５とを備えている。掃出装置Ａ２は、回転体２と、駆動装置３と、棒状部材４とを備えている。以下の説明では、これらの構成のうち、第２の供給コンベア２１と、第２の回収コンベア２２と、第２の板状部材２５とについて詳述する。
【００４６】
第２の供給コンベア２１は、第１の選別装置１０で選別された混合廃棄物Ｄを第２の選別装置２０に供給するコンベアである。第２の供給コンベア２１は、第１の供給コンベア１１と同様に構成されている。
【００４７】
第２の供給コンベア２１の上流側には、混合廃棄物Ｄを第２の供給コンベア２１に供給する第１の供給コンベア１１（他の供給コンベア）が設けられている。第１の供給コンベア１１の延在方向は、第２の供給コンベア２１の延在方向に対して所定の角度で交差しており、例えば、略直角に交差している。また、第１の供給コンベア１１と第２の供給コンベア２１とが連なる箇所において、接続部５が形成されている。この接続部５では、第１の供給コンベア１１の下流側端部は、第２の供給コンベア２１の上方に配置されている。第１の供給コンベア１１の下流側端部まで搬送された混合廃棄物Ｄは、この接続部５において、第１の供給コンベア１１から第２の供給コンベア２１の上方に受け渡される。この後、第２の選別装置２０で更に選別された混合廃棄物Ｄは、第２の供給コンベア２１によって、第２の供給コンベア２１の下流側端部まで搬送され、重量物の回収部ＯＵＴ１に至る。
【００４８】
第２の回収コンベア２２は、第２の供給コンベア２１から掃き出されて選別された軽量物ｄ２を回収するコンベアである。第２の回収コンベア２２は、第１の回収コンベア１２と同様に構成されている。
【００４９】
第２の回収コンベア２２は、第２の供給コンベア２１に隣接して設けられている。また、第１の回収コンベア１２の延在方向は、第２の回収コンベア２２の延在方向に対して所定の角度で交差しており、例えば、略直角に交差している。そして、第１の回収コンベア１２の下流側端部は、第２の回収コンベア２２の上方に配置されている。
【００５０】
従って、上流側の第１の選別装置１０において選別された軽量物ｄ２は、第１の回収コンベア１２によって、第１の回収コンベア１２の下流側端部まで搬送される。そして、第１の回収コンベア１２と第２の回収コンベア２２とが連なる箇所において、第１の回収コンベア１２から第２の回収コンベア２２に受け渡される。その後、上流側の第１の選別装置１０において選別された軽量物ｄ２は、下流側の第２の選別装置２０において選別された軽量物ｄ２と共に、第２の回収コンベア２２によって、第２の回収コンベア２２の下流側端部まで搬送され、軽量物の回収部ＯＵＴ２に至る。
【００５１】
図１に示すように、第２の板状部材２５は、第２の供給コンベア２１の上流側に設けられている。また、図４に示すように、第２の板状部材２５は、第２の供給コンベア２１の上方において、第１の供給コンベア１１の下流側端部と対峙すると共に、第２の供給コンベア２１の延在方向に沿うように配置された板状部材である。ここでの第２の板状部材２５は、廃棄物の選別装置１の全体構成において、第２の供給コンベア２１上における混合廃棄物Ｄの位置を第２の回収コンベア２２側へ寄せる片寄せ手段として機能する。
【００５２】
また、この第２の板状部材２５は、第２の供給コンベア２１の幅方向において、第２の回収コンベア２２から遠い側から第２の回収コンベア２２に近い側に向かって下り斜面を形成するように、傾斜して配置されている。
【００５３】
第２の送風部２３は、ブロアＢ２と、ノズルＢｎ２とを備えている。ブロアＢ２は、ブロアＢ１と同様に構成されている。ブロアＢ２は、第１の選別装置１０で選別された混合廃棄物Ｄにおける軽量物ｄ２の組成又は種類に応じて、ブロアＢ１とは異なる風量とされていてもよい。また、ノズルＢｎ２は、ノズルＢｎ１と同様に構成されている。ノズルＢｎ２の先端部の形状は、第１の選別装置１０で選別された混合廃棄物Ｄにおける軽量物ｄ２の組成又は種類に応じて、ノズルＢｎ１とは異なる先端部の形状が採用されていてもよい。
【００５４】
次に、本実施形態の廃棄物の選別装置１において、廃棄物の選別装置１の全体構成における作用効果について、図１及び図４を参照して説明する。
【００５５】
廃棄物の選別装置１において、確実に軽量物ｄ２を選別するために、軽量物ｄ２の選別が行われる区間の総距離を延ばすことが考えられる。しかし、廃棄物の選別装置１を設置するための敷地に制約がある場合には、軽量物ｄ２の選別が行われる区間を一直線上に設置することができない。このような場合、上述の構成のように、第１の選別装置１０と、第２の選別装置２０とが連なって設けられ、第１の供給コンベア１１と、第２の供給コンベア２１とが交差するように延設することで、軽量物ｄ２の選別が行われる区間の総距離を延ばすことができる。
【００５６】
第１の供給コンベア１１と、第２の供給コンベア２１とが連なる接続部５では、第１の供給コンベア１１の下流側端部は、第２の供給コンベア２１の上方に所定の高低差で設けられている。この接続部５において、混合廃棄物Ｄは、第１の供給コンベア１１の下流側端部から自然落下することにより、第１の供給コンベア１１から第２の供給コンベア２１の上方に受け渡される。
【００５７】
このとき、第２の板状部材２５を上述のように構成することにより、混合廃棄物Ｄは、第２の板状部材２５により受け止められると共に、第２の供給コンベア２１における第２の回収コンベア２２側へ予め寄せられるように、混合廃棄物Ｄの落下方向が制御される（図４参照）。これにより、第２の供給コンベア２１からこぼれ落ちたり、第２の供給コンベア２１上に不均一に集中又は分散したりすることを抑制することができる。
【００５８】
具体的には、例えば、第２の供給コンベア２１上において混合廃棄物Ｄが山状に盛られたような状態となり、この山に埋もれた軽量物ｄ２が取り残されることが抑制される。また、例えば、第２の供給コンベア２１上において、第２の供給コンベア２１の幅方向に、第２の回収コンベア２２から離れて混合廃棄物Ｄが散在する状態となり、棒状部材４によって掃かれた軽量物ｄ２が第２の回収コンベア２２まで至らずに第２の供給コンベア２１上に取り残されることが抑制される。
【００５９】
このようにして、混合廃棄物Ｄは好適に第２の供給コンベア２１上に受け渡され、軽量物ｄ２は容易に第２の回収コンベア２２へ掃き出される。この結果、効率の良い軽量物ｄ２の選別が可能となる。
【００６０】
本発明は、上述の実施形態に限定されるものではない。
【００６１】
掃出装置Ａ１及びＡ２は、上述の実施形態に限られない。例えば、回転体２は略円筒状を呈しているが、回転体２は、略角柱状を呈していてもよい。また、回転体２は、供給コンベアの上方に設けられ、供給コンベアの延在方向に沿う軸線を有していればよく、供給コンベアの延在方向に沿って一定幅を有するベルト状の無限軌道を呈しており、全体として供給コンベアの延在方向に沿う軸線周りに回転してもよい。また、駆動装置３は、回転体２の端部に直接設けられている形態に限られず、歯車やチェーン、ベルト等を介して回転体２を駆動してもよい。
【００６２】
また、上述の実施形態では、第１の送風部１３について、電動機によるファン等連続的な空気を送風するブロアＢ１を用いる例を示したが、例えばコンプレッサによる圧縮空気を断続的に噴射するものであってもよい。また、ノズルＢｎ１の先端部の形状は、先細りの略円錐形状を例示したが、先細りの形状でない円筒状であってもよいし、断面多角形状の筒状であってもよい。
【００６３】
また、例えば、第２の選別装置２０における回転体２と、駆動装置３と、棒状部材４と、第２の送風部２３と、第２の架渡部２４とは、第１の選別装置１０において対応する構成と同様な構成とされていてもよいし、異なる構成とされていてもよい。例えば、回転体２に設けられる棒状部材４の本数は、第１の選別装置１０よりも第２の選別装置２０のほうが多くてもよい。
【００６４】
また、第１の供給コンベア１１の延在方向と第２の供給コンベア２１の延在方向とが交差する角度は、略直角に限られない。
【符号の説明】
【００６５】
１…廃棄物の選別装置、２…回転体、３…駆動装置、４…棒状部材、４ａ…先端部、４ｂ…基端部、５…接続部、１１…第１の供給コンベア（供給コンベア、他の供給コンベア）、１２…第１の回収コンベア（回収コンベア）、１３…第１の送風部（送風部）、１５…第１の板状部材（片寄せ手段）、２１…第２の供給コンベア（供給コンベア）、２２…第２の回収コンベア（回収コンベア）、２３…第２の送風部（送風部）、２５…第２の板状部材（片寄せ手段）、Ｄ…混合廃棄物、ｄ１…重量物（礫分）、ｄ２…軽量物。
【図１】
2015196149.tif 000003
【図２】
2015196149.tif 000004
【図３】
2015196149.tif 000005
【図４】
2015196149.tif 000006